(57)【要約】  方法（７００）は、動作周波数帯域を介して送信信号の第１のセットを送信すること（７１０）を含む。この方法は、送信信号の第２のセットがこの動作周波数帯域に近接して送信されるか否かを検出すること（７２０）、及び、送信信号の第２のセットが検出されるとき、送信信号の第１のセットのサブセットへの電力を低減すること（７３０）を含む。
2015529990.tif 000002
【特許請求の範囲】
【請求項１】
方法であって、
或る動作周波数帯域を介して送信信号の第１のセットを送信すること、
送信信号の第２のセットが前記動作周波数帯域に近接して送信されるか否かを検出すること、及び
送信信号の前記第２のセットが検出されるとき送信信号の前記第１のセットのサブセットへの電力を低減すること、
を含む、方法。
【請求項２】
請求項１に記載の方法であって、前記サブセットへの電力を低減することが、送信信号の前記第１のセットの前記送信をオフにすることを含む、方法。
【請求項３】
請求項１に記載の方法であって、送信信号の前記第２のセットが検出されないとき、送信信号の前記第１のセットの前記サブセットへの前記電力を増大させることを更に含む、方法。
【請求項４】
請求項１に記載の方法であって、送信信号の前記第１のセットの前記サブセットがアクノリッジメント（ＡＣＫ）信号である、方法。
【請求項５】
請求項４に記載の方法であって、サブフレームの半分の間、前記ＡＣＫ信号の電力を低減すること又は前記ＡＣＫ信号をディセーブルすることを更に含む、方法。
【請求項６】
請求項１に記載の方法であって、データ送信を含む送信信号の前記第１のセットの前記サブセットへの前記電力を低減すること又はディセーブルすることを更に含み、前記低減された電力又はディセーブルされた送信を補償するために冗長データ送信が用いられる、方法。
【請求項７】
請求項１に記載の方法であって、前記検出することが、送信信号の前記第２のセットからデータが受信されていることを示す入力をワイヤレスデバイスから受信することを含む、方法。
【請求項８】
請求項１に記載の方法であって、送信信号の前記第１のセットが、ＬＴＥ（long term evolution）プロトコルに従って送信されるか又はＷｉＭＡＸ（worldwide interoperability for microwave access）プロトコルに従って送信される、方法。
【請求項９】
請求項８に記載の方法であって、前記ＬＴＥプロトコル又は前記ＷｉＭＡＸプロトコルを送信するために時分割複信（ＴＤＤ）プロトコル又は周波数分割複信（ＦＤＤ）プロトコルを用いることを更に含む、方法。
【請求項１０】
請求項１に記載の方法であって、送信信号の前記第２のセットが産業科学医療（ＩＳＭ）帯域を介して送信される、方法。
【請求項１１】
請求項１０に記載の方法であって、前記ＩＳＭ帯域が、ワイヤレスローカルエリアネットワークプロトコル（ＷＬＡＮ）、ブルートゥースプロトコル、ＩＥＥＥ８０２．１１／ＷｉＦｉプロトコル、又はＩＥＥＥ８０２．１５．４ＺｉｇＢｅｅプロトコルを含む、方法。
【請求項１２】
請求項１に記載の方法であって、
送信信号の前記第１のセットを前記動作周波数帯域を介して送信することであって、送信信号の前記第１のセットがアクノリッジメント（ＡＣＫ）信号を含むこと、
送信信号の前記第２のセットが前記動作周波数帯域に近接して送信されるか否かを検出することであって、送信信号の前記第２のセットが産業科学医療（ＩＳＭ）帯域を含むこと、及び
送信信号の前記第２のセットが検出されないとき送信信号の前記第１のセットのサブセットへの電力を増大させること、
を更に含む、方法。
【請求項１３】
デバイスであって、
送信信号の第１のセットを或る動作周波数帯域を介して生成するためのトランスミッタ、
データ及び制御信号を前記トランスミッタへ送るためのプロセッサであって、前記制御信号が、前記トランスミッタへの電力を増大又は低減させるための命令を含む、前記プロセッサ、及び
送信信号の第２のセットが前記動作周波数帯域に近接して送信されるか否かを示すために前記プロセッサに供給される検出器入力、
を含み、
送信信号の前記第２のセットが検出されるとき、送信信号の前記第１のセットのサブセットへの電力を低減させるように、前記プロセッサが前記制御信号を前記トランスミッタに発行する、
デバイス。
【請求項１４】
請求項１３に記載のデバイスであって、送信信号の前記第１のセットの前記サブセットがアクノリッジメント（ＡＣＫ）信号である、デバイス。
【請求項１５】
請求項１４に記載のデバイスであって、サブフレームの半分の間、前記ＡＣＫ信号の電力を低減すること又は前記ＡＣＫ信号をディセーブルすることを更に含む、デバイス。
【請求項１６】
請求項１３に記載のデバイスであって、送信信号の前記第１のセットが、ＬＴＥ（long term evolution）プロトコルに従って送信されるか又はＷｉＭＡＸ（worldwide interoperability for microwave access）プロトコルに従って送信される、デバイス。
【請求項１７】
請求項１３に記載のデバイスであって、送信信号の前記第２のセットが産業科学医療（ＩＳＭ）帯域を介して送信される、デバイス。
【請求項１８】
請求項１７に記載のデバイスであって、前記ＩＳＭ帯域が、ワイヤレスローカルエリアネットワークプロトコル（ＷＬＡＮ）、ブルートゥースプロトコル、ＩＥＥＥ８０２．１１／ＷｉＦｉプロトコル、又はＩＥＥＥ８０２．１５．４ＺｉｇＢｅｅプロトコルを含む、デバイス。
【請求項１９】
システムであって、
データ及び制御信号をトランスミッタに送るためのプロセッサであって、前記制御信号が、トランスミッタへの送信信号の第１のセットへの電力を増大又は低減させるための命令を含む、前記プロセッサ、及び
送信信号の第２のセットが前記トランスミッタの動作周波数帯域に近接して送信されるか否か示すために前記プロセッサに供給される検出器入力、
を含み、
送信信号の前記第２のセットが検出されるとき、送信信号の前記第１のセットのサブセットへの電力を低減させるように、前記プロセッサが前記制御信号を前記トランスミッタに発行する、
システム。
【請求項２０】
請求項１９に記載のデバイスであって、送信信号の前記第１のセットの前記サブセットがアクノリッジメント（ＡＣＫ）信号である、デバイス。
【発明の詳細な説明】
【技術分野】
【０００１】
ワイヤレスネットワークは近年広まってきており、また多くの場合において、付加的な適用例が開発されているためにそれぞれのネットワークにおいて利用可能スペクトルの競合する用途が生じ得る。例示のワイヤレス通信帯域において、産業科学医療用（ＩＳＭ）無線帯域は、通信以外の産業科学医療目的のための無線周波数（ＲＦ）エネルギーの利用のために意図的に取ってある無線帯域を含む。これらの帯域における適用例には、無線周波数プロセス過熱、電子レンジ、及び医療用ジアテルミー機器が含まれる。これらのデバイスからの強力な放射は、電磁干渉を起こし得、また、同じ周波数又は近接する周波数を用いる他のシステムの無線通信を妨害し得るため、このようなデバイスは周波数の或る帯域に制限された。一般に、これらの帯域において動作する通信装置は、ＩＳＭ装置により生成される如何なる干渉をも許容する必要があり、そのため、ユーザーにはＩＳＭデバイス動作からの規則保護がない。ＩＳＭ帯域における帯域幅の元の割り当ての意図にもかかわらず、近年、これらの帯域の最も急成長している用途は、短距離低電力通信システム用となってきている。これは、コードレス電話、ブルートゥースデバイス、及びＩＳＭ帯域を利用する種々のワイヤレスコンピュータネットワークを含み得る。ＩＳＭ帯域などの利用可能なワイヤレスネットワーク帯域幅での用途が増大するにつれて、このような帯域幅を利用する競合デバイス間の干渉が増大する恐れがある。ＩＳＭ帯域内のソースからの干渉に加えて、ｅＵＴＲＡ動作バンド７及び４０など、ＩＳＭ帯域に近接する他のライセンス帯域からの干渉も生じる恐れがある。
【発明の概要】
【０００２】
ワイヤレスネットワーク間の干渉を緩和するワイヤレス通信システム及びその方法が提供される。一例において、或る方法が、或る動作周波数帯域を介して送信信号の第１のセットを送信することを含む。この方法は、送信信号の第２のセットがこの動作周波数帯域に近接して送信されるか否かを検出すること、及び送信信号の第２のセットが検出されるとき送信信号の第１のセットのサブセットへの電力を低減することを含む。
【０００３】
別の例では、或るシステムが、データ及び制御信号をトランスミッタに送るためのプロセッサを含み、この制御信号は、トランスミッタへの送信信号の第１のセットへの電力を増大又は低減させるための命令を含む。送信信号の第２のセットがトランスミッタの動作周波数帯域に近接して送信されるか否か示すために、検出器入力がプロセッサに供給され得る。送信信号の第２のセットが検出されるとき送信信号の第１のセットのサブセットへの電力を低減させるように、プロセッサはこの制御信号をトランスミッタに発する。
【０００４】
更に別の例において、或るデバイスが、送信信号の第１のセットを或る動作周波数帯域を介して生成するためのトランスミッタを含む。このデバイスは、データ及び制御信号をトランスミッタへ送るためのプロセッサを含み、制御信号は、トランスミッタへの電力を増大又は低減させるための命令を含む。プロセッサに供給される検出器入力が、送信信号の第２のセットがこの動作周波数帯域に近接して送信されるか否かを示し得、送信信号の第２のセットが検出されるとき送信信号の第１のセットのサブセットへの電力を低減させるように、プロセッサはこの制御信号をトランスミッタに発する。
【図面の簡単な説明】
【０００５】
【図１】図１は、ネットワーク帯域干渉を緩和するためのワイヤレスデバイスの一例を図示する。
【０００６】
【図２】図２は、ネットワーク帯域干渉を緩和するために電力がどのように選択的に低減され得るかを示す例示の送信図を図示する。
【０００７】
【図３】図３は、ネットワーク帯域干渉を緩和するための例示のシステムを図示する。
【図４】図４は、ネットワーク帯域干渉を緩和するための例示のシステムを図示する。
【図５】図５は、ネットワーク帯域干渉を緩和するための例示のシステムを図示する。
【０００８】
【図６】図６は、ワイヤレス干渉を緩和するための例示のシステム、及びこのシステムにより用いられ得る例示のタイミング及び電力信号を図示する。
【０００９】
【図７】図７は、ワイヤレスネットワーク間の干渉を緩和するための例示の方法を図示する。
【発明を実施するための形態】
【００１０】
図１は、ネットワーク帯域干渉を緩和するためのワイヤレスデバイス１００の一例を図示する。ワイヤレスデバイス１００は、近接するネットワークがそのデバイスの近くで動作しているか否かを検出するように、及び、ネットワークとデバイスとの間の干渉を緩和するために、近接するネットワークが検出されるか否かに応じてその信号送信出力を変更する（例えば、送信の電力を低減する、送信をディセーブルする、サブフレームの一部をディセーブルするなど）ように、構成され得る。ワイヤレスデバイス１００は、或る動作周波数帯域を介して送信信号の第１のセットを生成するためのトランスミッタ１１０を含む。例えば、動作周波数帯域は、下記で説明する４Ｇネットワーク周波数に関連し得る。
【００１１】
本明細書において用いられるように、近接する周波数という用語は、トランスミッタ１１０が用いる周波数に周波数が近い周波数を指す（例えば、近接するネットワークの検出された周波数が、トランスミッタの動作周波数の中心周波数の４０ＭＨｚ内である）。そのため、近接する周波数は、ワイヤレス帯域１４０におけるワイヤレス帯域レシーバー性能の受信に影響を与え得、トランスミッタ１１０の送信により劣化され得る。例えば、近くの表面音響波（ＳＡＷ）フィルタを用いるとき６０ＭＨｚの干渉を生成し得、アドバンストバルク音響波（ＢＡＷ）フィルタを用いると、近接する周波数の解像度が３０ＭＨｚまで低減され得る。
【００１２】
プロセッサ１２０が、データ及び制御信号をトランスミッタ１１０に送るように構成され得、制御信号は、トランスミッタ１１０への電力を増大又は低減させるための命令を含む。送信信号の第２のセットがトランスミッタ１１０の動作周波数帯域に近接して送信されるか否か示すために、検出器入力１３０がプロセッサ１２０に供給され得る。プロセッサ１２０は、送信信号の第２のセットが検出されるとき送信信号の第１のセットのサブセットへの電力を低減させるように、制御信号をトランスミッタ１１０に発行し得る。このようにして、トランスミッタ１１０の動作周波数と検出された近接する周波数との間で干渉が緩和され得る。一例において、検出器入力１３０はまた、プロセッサ１２０内部の入力として供給され得る。
【００１３】
送信信号の第２のセットは、ワイヤレス帯域１〜Ｎとして示される１つ又は複数のワイヤレス帯域１４０に関連付けられ得、Ｎは正の整数を表す。例えば、ワイヤレス帯域１４０は、その周波数がトランスミッタ１１０の動作周波数に実質的に近いか又は近接する、ネットワーク周波数に関連付けられ得る。検出器入力１３０においてワイヤレス帯域１４０上のワイヤレス通信が検出されると、プロセッサ１２０は、１つ又は複数のワイヤレス帯域１４０との干渉を緩和するために、トランスミッタ１１０にその信号送信出力を調節するように命令し得る。図示するように、或る帯域が検出器入力１３０により検出される場合、低減された出力信号が１５０において生成され得る。検出器入力１３０においてワイヤレス帯域が検出されない場合、プロセッサ１２０は、トランスミッタ１１０に、１６０で図示するようにトランスミッタに対して定義される通常の又は標準的な動作範囲（例えば、所定の出力閾値を上回る信号送信として定義される通常の出力範囲）までその出力レベルを増大させるように命令し得る。
【００１４】
本明細書において用いられるように、電力を低減することという用語は、トランスミッタ１１０の信号レベルを低減することを含み得、又は、信号又は信号の一部をディセーブルすることも含み得る。例えば、近接するワイヤレス帯域１４０が検出される場合、トランスミッタ１１０により電力が低減されるべき送信信号の第１のセットのサブセットは、例えば、アクノリッジメント（ＡＣＫ）信号を含み得る。ＡＣＫ信号は、例えば、近接する周波数が検出されるとき、振幅が低減され得るか、又はフレームの一部に対してディセーブルされ得、フレームは、データ、サブフレーム、シンボル、リソースブロックなどを含み得る。トランスミッタ１１０での電力低減の一つの特定の例において、ＡＣＫ信号は、図２に関して以下に説明するようにサブフレームの半分の間その電力を低減させ（又はディセーブルさせ）得る。検出されたワイヤレス帯域１４０との干渉を緩和するためにトランスミッタ１１０におけるＡＣＫなどの信号を低減することに加えて、フレーム内のデータ送信に対して電力が低減され得、低減された電力又はディセーブルされたデータ送信を補償するために冗長データ送信が用いられ得る。
【００１５】
ワイヤレス帯域１４０内で動作するワイヤレスデバイスは、ワイヤレスアクティビティを示す信号を生成し得る。例えば、このようなデバイスは、ワイヤレス帯域１４０により用いられる送信信号の第２のセットからワイヤレスデータが受信されていることを示す、検出器入力１３０により検出され得る出力信号を生成し得る。ワイヤレスデバイス動作に対する一つの特定の例において、トランスミッタ１１０により生成される送信信号の第１のセットは、ＬＴＥ（long term evolution）プロトコルに従って送信され得るか又はＷｉＭＡＸ（worldwide interoperability for microwave access）プロトコルに従って送信され得、これらは４Ｇ動作に対してサポートされ得る。また、トランスミッタ１１０は、例えば、ＬＴＥプロトコル又はＷｉＭＡＸプロトコルを送信するために時分割複信（ＴＤＤ）プロトコル又は周波数分割複信（ＦＤＤ）プロトコルを用い得る。ワイヤレス帯域１４０により生成される送信信号の第２のセットは、例えば、産業科学医療（ＩＳＭ）帯域を介して送信され得、また、例えば、トランスミッタ１１０が用いるＬＴＥ又はＷｉＭＡＸ周波数により干渉され得る。ワイヤレス帯域１４０のための近接する周波数動作の幾つかの特定の例において、ＩＳＭ帯域がワイヤレス帯域として用いられる場合、それぞれのＩＳＭ帯域は、ワイヤレスローカルエリアネットワークプロトコル（ＷＬＡＮ）、ブルートゥースプロトコル、ＩＥＥＥ８０２．１１／ＷｉＦｉプロトコル、又はＩＥＥＥ８０２．１５．４ＺｉｇＢｅｅプロトコルを含み得る。
【００１６】
説明を簡潔にするため、本例において、本明細書に記載されるシステムの異なる構成要素が、異なる機能を実行するものとして図示及び説明されている。しかし、当業者であれば、説明される構成要素の機能は異なる構成要素により実行され得、幾つかの構成要素の機能性が、単一の構成要素に組み合わされ得、単一の構成要素で実行され得、又は、より多くの構成要素にわたって分布され得ることが理解及び認識されるであろう。例えば、プロセッサ１２０及び検出器入力１３０は、プロセッサを制御するためのメモリを更に含み得る集積回路などの単一デバイス上に集積され得る。本明細書に記載される構成要素は、例えば、コンピュータ実行可能な命令（例えば、ソフトウェア、ファームウェア）、ハードウェア（例えば、ＣＰＵ、特定用途向け集積回路）として、又は両方の組み合わせとして、実装され得る。他の例では、構成要素は、例えば、ネットワークを介して離れたデバイス間に分布され得る。
【００１７】
上述の構造的及び機能的特徴を考慮すると、図６を参照すれば例示の方法がよりよく分かるであろう。説明を簡潔にするため、この方法は、順次に実行するように図示及び説明するが、この方法は、説明された順に限定されず、方法の一部が異なる順に、及び／又は本明細書に図示及び記載されるものと同時に、行われ得ることを理解及び認識されたい。このような方法は、機械読み取り可能な命令としてメモリにストアされ得る。この方法に対応する機械可読命令は、例えば、セル電話などのワイヤレスデバイスにおけるプロセッサによっても実行され得る。
【００１８】
図２は、ネットワーク帯域干渉を緩和するために電力がどのように選択的に低減され得るかを示す例示の送信図を図示する。この図は、Ｘ軸に沿ってワイヤレスデバイス送信のための例示の周波数を示し、２５１０ＭＨｚの中心周波数を２１０で示す。Ｙ軸に沿って信号電力が示され、Ｚ軸は時間を示す。この図は、種々のサブフレームを有する例示のワイヤレスフレームを表す。各サブフレームの始め及び終わりに、ＡＣＫ信号が参照番号２２０〜２６０で示されている。干渉するネットワークが（例えば、ＩＳＭ帯域上のデバイスから）検出される場合、２２０、２４０、及び２６０におけるＡＣＫ信号は、示される時間期間の間、それぞれの電力を低減させるか又はオフにさせ得る。例えば、干渉するネットワークが検出される場合、２２０で示されるＡＣＫ信号は、図のＺ軸に沿って示すように時間期間０ｍｓから１ｍｓまでの間、振幅が低減され得るか又は全体として送信され得ない。干渉するネットワークが検出されるとき、ＡＣＫ信号２３０及び２５０はサブフレームの半分の間通常通り送信され得る。フレームの一部の間ＡＣＫ（又は他の信号）を低減すること又は取り除くことにより、干渉するネットワーク間で一層多くの周波数分離が達成され得、そのため、ネットワーク間の干渉が低減され得る。
【００１９】
一例において、ブルートゥース及びＷＬＡＮが２．４ＧＨｚのＩＳＭ帯域（２４０２ＭＨｚ〜２４８３ＭＨｚ）で動作し、一方、ＬＴＥ（long term evolution）セルラーがＩＳＭ帯域に近接する帯域（２３００ＭＨｚ〜２４００ＭＨｚ及び２５００ＭＨｚ〜２６９０ＭＨｚ）で動作する。各システムの送信が他方のシステムの受信に対する干渉を起こす恐れがある。本明細書に記載されるシステム及び方法は、例えば、ブルートゥース及びＷＬＡＮに対する帯域内干渉源として働くＬＴＥトランスミッタエミッションマスクに起因してＬＴＥが送信するとき（例えば、ＬＴＥエミッションマスクが、その幅広い送信帯域幅に起因してＩＳＭ帯域におけるノイズレベルを増大させる）、ブルートゥース及びＷＬＡＮの受信性能の劣化を緩和する。
【００２０】
ＬＴＥトランスミッタのＩＳＭ帯域へのエミッションマスクを低減することは、そのアクノリッジメント（ＡＣＫ）を送信帯域幅の半分で送信するようにＬＴＥ送信信号を操作することによって達成され得、そのため、ＬＴＥシステム性能を劣化させることなく帯域幅低減を補償するためにＬＴＥアクノリッジメント送信の高冗長性に依存する。図２に示すようにＡＣＫメッセージは帯域の端部で送られ得るため、帯域の一層低い部分をカット又は低減することで、ＩＳＭなどの干渉するネットワークとの一層大きい周波数分離がつくられる。そのため、ＬＴＥシステムは、例えば、ＩＳＭ帯域から最も遠い帯域の端部でＡＣＫを送信することができる。これにより、ＬＴＥ送信により妨げられることなくブルートゥース及びＷＬＡＮが受信することができる時間が増大され、そのため、全体的なシステム性能が改善される。理解され得るように、ブルートゥース、ＷＬＡＮ、及びＬＴＥ以外の技術が、ワイヤレスネットワーク間の干渉を緩和するための本明細書に記載されるシステム及び方法と共に用いられ得る。
【００２１】
図３〜図５は、ネットワーク帯域干渉を緩和するための例示のシステムを図示する。図３に関して、ホストシステム３００（例えば、プロセッサ、メモリ、コンピュータ実行可能命令、信号を検出するため及び増幅器を制御するための入力／出力などを有するワイヤレスデバイス）が、ブルートゥースデバイス３１０及びＷｉＦｉデバイス３２０から入力を受信し、入力は、デバイス３１０又は３２０がデータを受信しているか否か示す。このようなデバイスは、例えば、２４００〜２４８３ＭＨｚで動作する、２．４ＧＨｚのＩＳＭ帯域で動作し得る。ホスト３００によりワイヤレスアクティビティが検出される場合、ホストは、検出されたブルートゥースデバイス３１０及び／又はＷｉＦｉデバイス３２０との干渉を緩和するために、ＬＴＥトランシーバ３３０にそのワイヤレス送信の一部の間その電力を低減するように命令し得る。ＬＴＥトランシーバは、例えば、２３００〜２４００ＭＨｚの動作範囲を有するバンド４０で動作し得、例えば、２５００〜２５７０ＭＨｚの動作範囲を有するアップリンクではバンド７を利用する。
【００２２】
図４は代替の例を図示し、ここでは、ホスト４００が、組み合わされたＷｉＦｉ及びブルートゥースデバイス４１０から入力を受信する。組み合わされたデバイス４１０からワイヤレスアクティビティが検出される場合、ＬＴＥトランシーバ４２０が、組み合わされたデバイスとの干渉を緩和するために、そのワイヤレス送信の一部の間（例えば、ＡＣＫ信号が送信されるとき）電力を低減し得るか又はオフにし得る。理解され得るように、ブルートゥース、ＷｉＦｉ、及びＬＴＥ以外の技術が本明細書に記載される干渉緩和技術と共に用いられ得る。
【００２３】
図５は、ホストシステム５００、組み合わされたＷｉＦｉ及びブルートゥースデバイス５１０、及びＬＴＥトランシーバ５２０を備えた代替の例を図示する。この例では、組み合わされたデバイス５１０は、ダイレクトインタフェースを介し、それぞれ、組み合わされたデバイスとＬＴＥトランシーバとの間の通信のためにホスト５１０を利用することなく、ＬＴＥトランシーバ５２０と通信する。ハイブリッド例において、ホストが、組み合わされたデバイス５１０とＬＴＥトランシーバ５２０との間の幾つかの通信を促進し得、一方で、ダイレクトインタフェースが、他の通信（例えば、ダイレクトインタフェースを介して送られる、より急ぎの通信）を処理し得る。
【００２４】
図６は、ワイヤレス干渉を緩和するための例示のシステム６００、及び、このシステムにより用いられ得る例示のタイミング及び電力信号６１０を図示する。システム６００は、アンテナ６３０を駆動するパワーアンプ（ＰＡ）６２０を含む。送信経路６４０が、データ、及び送信のためのパワーアンプ６２０へのリソースブロックなどのサポート構造をフィードする。タイミング及び制御構成要素６５０が、パワーアンプ６２０の利得を制御するために用いられ得、また、送信の全て又は一部に対して増幅器をディセーブルすることもできる。例えば、干渉するネットワークが検出されるとき、タイミング及び制御構成要素６５０は、検出されたネットワークとの干渉を緩和するためにＴＤＤ又はＦＤＤフレームの一部に対してパワーアンプ６２０への電力を低減し得る。
【００２５】
タイミング及び電力信号６１０は、タイミング及び制御構成要素６５０にフィードされ得る例示のＡＣＫ制御信号を示す。０ｍｓから０．５ｍｓまでの期間の間、６６０で図示するように、ＡＣＫ電力が低減又はディセーブルされる。パワーアンプ６２０を制限するためのデシベルの数などの低減量は、干渉するネットワーク間の周波数分離、利用可能なフィルタなどの関数とし得る。６６０で示すようなこのような低電力又はオフ期間の後、時間０．５ｍｓ〜１．０ｍｓの間の高電力期間６７０が続き得る。図示するように、ＡＣＫ信号のための低及び高電力のサイクルは時間にわたって反復し得る。他の時間期間、電力レベル、及びＡＣＫ以外の信号も同様に制御され得る。また、この例に示す５０％以外のデューティサイクルも用いられ得る。
【００２６】
図７は、ワイヤレスネットワーク間の干渉を緩和するための例示の方法７００を図示する。方法７００は、７１０で送信信号の第１のセットを或る動作周波数帯域を介して送信することを含む。このような送信は、図１の１１０で図示するようなトランスミッタにより生成され得る。７２０で、方法７００は、送信信号の第２のセットがこの動作周波数帯域に近接して送信されるか否かを出することを含む。このような信号は、図１の１４０などの他のワイヤレス帯域により生成され得る。送信信号の第２のセットは、例えばプロセッサ入力により検出され得る。７３０で、方法７００は、送信信号の第２のセットが検出されるとき送信信号の第１のセットのサブセットへの電力を低減することを含む。本明細書において用いられるように、電力を低減することは、送信信号の第１のセットの送信をオフにすることを含み得る。
【００２７】
図示していないが、方法７００は更に、送信信号の第２のセットが検出されないとき送信信号の第１のセットサブセットへの電力を増大させることを含み得、送信信号の第１のセットのサブセットは、例えば、アクノリッジメント（ＡＣＫ）信号である。方法７００は、図２の例に示すようなサブフレームの半分の間、ＡＣＫ信号の電力を低減すること又はＡＣＫ信号をディセーブルすることを含み得る。方法７００は更に、データ送信を含む送信信号の第１のセットのサブセットの電力を低減すること又はディセーブルすることを含み得、低減された電力又はディセーブルされた送信を補償するために冗長データ送信が用いられる。
【００２８】
方法７００の検出することは、送信信号の第２のセットからデータが受信されていることを示す、ワイヤレスデバイスからの入力を受信することを含み得る。送信信号の第１のセットは、ＬＴＥ（long term evolution）プロトコルに従って送信され得るか又はＷｉＭＡＸ（worldwide interoperability for microwave access）プロトコルに従って送信され得る。これは、例えば、ＬＴＥプロトコル又はＷｉＭＡＸプロトコルを送信するために、時分割複信（ＴＤＤ）プロトコル又は周波数分割複信（ＦＤＤ）プロトコルを用いることを含み得る。送信信号の第２のセットは、例えば、産業科学医療（ＩＳＭ）帯域を介して送信され得る。ＩＳＭ帯域は、例えば、ワイヤレスローカルエリアネットワークプロトコル（ＷＬＡＮ）、ブルートゥースプロトコル、ＩＥＥＥ８０２．１１／ＷｉＦｉプロトコル、又はＩＥＥＥ８０２．１５．４ＺｉｇＢｅｅプロトコルを含み得る。
【００２９】
当業者であれば、本発明の特許請求の範囲内で、説明した例示の実施例に変形が成され得ること、及び多くの他の実施例が可能であることが分かるであろう。
【図１】
2015529990.tif 000003
【図２】
2015529990.tif 000004
【図３】
2015529990.tif 000005
【図４】
2015529990.tif 000006
【図５】
2015529990.tif 000007
【図６】
2015529990.tif 000008
【図７】
2015529990.tif 000009
【国際調査報告】
2015529990.tif 000010
2015529990.tif 000011